(57)【要約】      （修正有）【課題】高齢者や障害者等の歩行を補助する歩行支援装置を提供する。【解決手段】歩行支援装置１は、床板２および床板２に固定される手摺り部３を備える。手摺り部３は、床板２から起立する一対の支柱４と、その両端部５１が支柱４に固定される第１手摺り棒５と、第１手摺り棒５から床板２側とは反対側へと突出する第２手摺り棒６とを備える。手摺り部３は、床板２の両側２１に離間して一対設けられる。支柱４の外管４１の下端部４４は、第１手摺り棒６の軸方向Ｘに対して平行に延びる第１補強部材８に固定される。第１補強部材８は、床板２の両側２１から所与寸法内側に離間して、その表面２３に固定される。床板２の裏面２４には第２補強部材を備える。第１補強部材８と第２補強部材とは、床板２を挟んでその端部８１が互いに重なるように配置される。第１補強部材８と第２補強部材とは、床板２を介して互いに連結し、これらで略矩形を形成する。【選択図】図１
0003211371.tif 000002
【実用新案登録請求の範囲】
【請求項１】
床板と、前記床板に固定される手摺り部とを備える歩行支援装置であって、
前記手摺り部は、前記床板から起立する一対の支柱と、その両端部が前記支柱に固定される第１手摺り棒とを含み、
前記第１手摺り棒から前記床板側とは反対側へと突出する第２手摺り棒を備えることを特徴とする歩行支援装置。
【請求項２】
一対の前記手摺り部を備えるとともに、
前記第１手摺り棒の軸方向に対して平行に延びる第１補強部材と、
前記第１補強部材に交差して延びる第２補強部材と、を備え、
前記第１補強部材および前記第２補強部材のいずれか一方は前記床板の表面に固定され、いずれか他方は裏面に固定されることを特徴とする請求項１記載の歩行支援装置。
【考案の詳細な説明】
【技術分野】
【０００１】
この考案は、歩行時に捕まることができる歩行支援装置に関し、より詳細には、床に対してほぼ平行に延びる手摺り棒を備える歩行支援装置に関する。
【背景技術】
【０００２】
従来、高齢者や障害者等の利用者が左右両方の手でそれぞれ把持することができる二本の手摺り棒を備える歩行支援装置が知られている。手摺り棒に捕まることによって、安定して立つことができ、歩行時の支えにすることができる。
【先行技術文献】
【特許文献】
【０００３】
【特許文献１】特開２００４−１８７７２２号公報
【考案の概要】
【考案が解決しようとする課題】
【０００４】
しかしながら、従来の装置は、床にほぼ平行な手摺り棒のみを備える。このような手摺り棒は、体が倒れないように支えるのには適しているが、体を前方へ移動させるような動きを補助するものではなかった。すなわち、利用者の歩行においてはその動きを補助するのに適しているとは言い難いものであった。
【０００５】
この考案では、歩行に適した歩行支援装置を提供することを課題とする。
【課題を解決するための手段】
【０００６】
この考案は、床板と、前記床板に固定される手摺り部とを備える歩行支援装置であって、前記手摺り部は、前記床板から起立する一対の支柱と、その両端部が前記支柱に固定される第１手摺り棒とを含み、前記第１手摺り棒から前記床板側とは反対側へと突出する第２手摺り棒を備えることを特徴とする。
【０００７】
この考案において、一対の前記手摺り部を備えるとともに、前記第１手摺り棒の軸方向に対して平行に延びる第１補強部材と、前記第１補強部材に交差して延びる第２補強部材と、を備え、前記第１補強部材および前記第２補強部材のいずれか一方は前記床板の表面に固定され、いずれか他方は裏面に固定されるものであってもよい。
【考案の効果】
【０００８】
この考案によれば、手摺り棒から床板側とは反対側へと突出する第２手摺り棒を備えるので、この第２手摺り棒を握って身体側に引き寄せることによって体を前方に容易に移動させることができる。
【図面の簡単な説明】
【０００９】
【図１】この考案の歩行支援装置の一実施形態を示した斜視図。
【図２】歩行支援装置を床板の裏面側から見た図。
【図３】図１のＩＩＩ-ＩＩＩ線断面図。
【考案を実施するための形態】
【００１０】
図１〜図３を参照すれば、歩行支援装置１は、床板２と、床板２に固定される手摺り部３とを備える。この実施形態において、床板２として合板を用いることができる。手摺り部３は、床板２から起立する一対の支柱４と、その両端部５１が支柱４に固定される第１手摺り棒５と、第１手摺り棒５から床板２側とは反対側へと突出する第２手摺り棒６とを備える。すなわち、第２手摺り棒６は、図１において第１手摺り棒５からその上方へ向かって延びる。支柱４、第１手摺り棒５、および第２手摺り棒６は、互いに固定される。支柱４、第１手摺り棒５、および第２手摺り棒６は、鉄やステンレス等の金属製とすることができ、この場合には、溶接等によって固定される。
【００１１】
支柱４は、床板２に固定される外管４１と、外管４１に対してその一部が摺動可能な内管４２とを備える。外管４１には、径方向に貫通する貫通孔４１Ａが形成される。貫通孔４１Ａは、外管４１の高さ方向、すなわち図面上下方向に離間して複数設けられる。内管４２には、径方向に貫通する貫通孔４２Ａが形成される。貫通孔４２Ａは、内管４２の高さ方向、すなわち図面上下方向において１か所設けられる。このような外管４１に対して内管４２を図面上下方向に摺動させるとともに、貫通孔４１Ａのいずれかと貫通孔４２Ａとが一致する任意の場所において、これらに固定ねじ４３を貫通させることによって支柱４の高さを調節し、その位置に固定することができる。
【００１２】
この実施形態において、支柱４の内管４２と第２手摺り棒６とは同一の金属パイプによって一連に構成される。第２手摺り棒６の上端部６１には、キャップ７が取付けられる。キャップ７は、その径が第２手摺り棒６の径よりも大きい頭部７１と、第２手摺り棒６の径よりも小さい脚部７２とを備え、脚部７２を第２手摺り棒６に嵌合することによって、上端部６１の開口を塞ぐ。キャップ７を設けることによって、第２手摺り棒６の上端部６１による利用者のけが等を予防するとともに、頭部７１を設けることによって、上端部６１が利用者の袖口に入ったり、引っかかったりするのを予防する。
【００１３】
床板２は、対向する両側２１と、両端２２とを備える略矩形である。手摺り部３は、床板２の両側２１に離間して一対設けられる。したがって、両側２１に沿って延びる一対の第１手摺り棒５が配置され、利用者は、この第１手摺り棒５の間に位置するように起立するとともに、左右のそれぞれの手で第１手摺り棒５を把持することができる。
【００１４】
支柱４の外管４１の下端部４４は、第１手摺り棒５の軸方向Ｘに対して平行に延びる第１補強部材８に固定される。より詳細には、第１補強部材８は、床板２の両端２２間に亘って延びるとともに、第１補強部材８の両端部８１のそれぞれに支柱４の下端部４４が固定される。第１補強部材８の材料として、鉄やステンレスなどの金属板を用いることができ、固定手段として溶接等が用いられる。第１補強部材８は、床板２の両側２１から所与寸法内側に離間して、その表面２３に固定される。具体的には、第１補強部材８は両側２１から約１０ｃｍ離間して配置される。
【００１５】
床板２の裏面２４には第２補強部材９を備える。第２補強部材９は、床板２の両側２１間に亘って延びるとともに、第２補強部材９の両端部９１のそれぞれに支柱４の下端部４４が位置するように配置される。したがって、第１補強部材８と第２補強部材９とは、床板２を挟んでその端部８１および９１が互いに重なるように配置される。
【００１６】
床板２の裏面２４には、第３補強部材１０をさらに備える。第３補強部材１０は、第２補強部材９の間であって、かつ、両側２１に沿って配置される。第２補強部材９および第３補強部材１０の材料として、鉄やステンレス等の金属材料を用いることができる。
【００１７】
第１補強部材８は、その両端部８１および中央部８２のそれぞれにおいて、締結手段８３を用いて床板２に接合される。具体的には、両端部８１および中央部８２にねじ穴を形成し、そのねじ穴にボルトを挿入するとともに裏面２４側からナットを嵌合して、第１補強部材８を床板２に接合する。この時、両端部８１の裏面２４には、第２補強部材９が配置されているから、床板２を第１補強部材８と第２補強部材９とで挟むように固定する。また、中央部８２の裏面２４には、第３補強部材１０を配置し、床板２を第１補強部材８と第３補強部材１０とで挟むように固定する。このように固定することでボルトとナットの緩みを防止することができる。
【００１８】
第１補強部材８と第２補強部材９とは、床板２を介して互いに連結し、これらで略矩形を形成する。このように第１補強部材８と第２補強部材９とを連結することによって、利用者が第１手摺り棒５や第２手摺り棒６などの手摺り部３に体重をかけた場合に、これらを倒れにくくすることができるとともに、床板２を補強することができる。すなわち、第１補強部材８によって手摺り部３を強固に床板２に固定することができるとともに、第２補強部材９を備えることによって、手摺り部３が互いに近づく方向または離れる方向に倒れるのを効果的に防止することができる。また、第１補強部材８を両側２１から離間して配置することによって、より一層手摺り部３を倒れにくくすることができる。さらに、床板２を木製とするとともに、部分的に金属製の補強部材を用いることによって、装置全体の軽量化を図り、かつ、安全性を向上させることができる。
【００１９】
上記のような構成によれば、利用者は歩行支援装置１を用いて歩行や起立の練習をすることができる。例えば、第１手摺り棒５の間に立つとともにこれを握ることによって、足腰の弱った人でもバランスを取りながら立っていることができる。平行に延びる一対の第１手摺り棒５を設けることによって、利用者の転倒事故を防止することができる。また、たとえ転倒したとしても一対の第１手摺り棒５の間に立つことによって、いずれか一方の第１手摺り棒５に捕まることができ、骨折等の重大事故につながるのを予防できる。このような第１手摺り棒５を用いることによって、少しずつ第１手摺り棒５の握る位置を前方に移動させ、足を前方に運ぶことによって、歩行訓練が可能である。第１手摺り棒５を握っておこなう歩行訓練は、自身の腕で体重を支えながら少しずつ前進する場合に向いている。
【００２０】
自身の腕の力だけでは体重を支えられない場合や、比較的長い距離の移動をする場合には、第２手摺り棒６を用いた歩行が可能である。すなわち、利用者の前方に位置する第２手摺り棒６を握り、身体側に引き寄せることによって、身体を前方へと移動させることができる。第２手摺り棒６は第１手摺り棒５よりも高い位置にあるので、利用者にとって握りやすく、強固に握ることができ安全に移動が可能である。このように前方への移動を目的とする場合には、地面とほぼ平行に延びる第１手摺り棒５よりも、これに直交するように延びる第２手摺り棒６を用いた方が足や腕に対する負担を軽減することができる。また、第２手摺り棒６を複数並べるとともに、これらの間隔を短くすることによって、利用者は一方の手で身体に近い位置にある第２手摺り棒６を握り、他方の手でそれよりも前方の位置にある第２手摺り棒６を握ることができ、より安定して身体を支えることができる。このように左右交互に前方の第２手摺り棒６を握ることによって安全かつ容易に移動することができる。さらに、第２手摺り棒６の間に第１手摺り棒５が位置することによって、利用者は自分の歩幅や身体機能に応じてこれらを使い分けることができる。
【００２１】
上記のような歩行支援装置１は、これをひとつのユニットとして、複数ユニットを連結して用いることもできる。これにより直線状の通路を形成することができ歩行距離を長くすることができる。また、台形や三角形の床板２を用いることによって歩行支援装置１によって形成される通路を曲げることができる。歩行支援装置１は、軽量化が図られるので持ち運びが容易で、屋内での使用も可能である。したがって、例えば寝室からトイレまでの間にこの考案の歩行支援装置１を並べて設けることで、安全にこれらの間を移動することができるとともに、歩行訓練をおこなうことができる。また、歩行支援装置１は床等に置くだけで設置することができる。すなわち、ボルトなどを用いて壁や天井に固定する必要がないので、容易に設置することができるとともに、設置場所を選ばない。したがって、利用者の状況に応じて適所に設置可能である。また、建物に穴をあける必要がないので、設置のための建物への損傷を防ぐことができる。
【００２２】
この実施形態において、第１補強部材８を床板２の表面２３に配置し、第２補強部材９を裏面２４に配置しているが、これが反対であってもよい。また、支柱４、第１手摺り棒５、第２手摺り棒６、第１補強部材８、第２補強部材９および第３補強部材１０は、金属製としているがこれに限定されるものではなく、この分野において採用される材料を適宜選択することができる。また、「第１」「第２」および「第３」の言葉は、順番を表すものではなく単に同じ名称の部材を区別するために用いるものである。
【符号の説明】
【００２３】
１    歩行支援装置
２    床板
３    手摺り部
４    支柱
５    第１手摺り棒
６    第２手摺り棒
７    キャップ
８    第１補強部材
９    第２補強部材
１０    第３補強部材
２３    表面
２４    裏面
【図１】
0003211371.tif 000003
【図２】
0003211371.tif 000004
【図３】
0003211371.tif 000005